(57)【特許請求の範囲】
【請求項１】
複数種類の文字認識用紙を認識して確認修正する文字認識制御方法において、レイアウト作成ウインドに表示される文字記入枠の設定可能な文字記入枠位置の指定に基づいて文字認識用紙内に当該指定された文字記入枠位置の文字記入枠を定義することによって文字認識用紙イメージを生成し、属性作成ウインドに対する入力に基づき前記定義した文字記入枠に対する入力内容の属性を定義することによって認識表示定義情報を生成し、それぞれ、生成イメージ格納部と定義ファイル格納部に格納する工程と、前記生成イメージ格納部に格納された文字認識用紙イメージを文字認識用紙として出力する工程と、出力後に文字情報を記入した文字認識用紙を受信して文字認識用紙イメージを取り出し、情報格納部に格納する工程と、前記認識表示定義情報を用いて文字認識用紙イメージ内の記入された文字情報を文字認識する工程と、前記認識表示定義情報を用いて文字認識結果を表示して修正する工程とを有することを特徴とする文字認識制御方法。
【請求項２】
前記認識表示定義情報を生成する工程において、自由領域を定義する工程を有し、前記認識結果を表示して修正する工程において、自由領域へ情報入力する工程を有することを特徴とする特許請求項１項記載の文字認識制御方法。
【請求項３】
複数種類の文字認識用紙を認識する文字認識制御装置において、レイアウト作成ウインドに表示される文字記入枠の設定可能な文字記入枠位置の指定に基づいて文字認識用紙内に当該指定された文字記入枠位置の文字記入枠を定義することによって文字認識用紙イメージを生成し、属性作成ウインドに対する入力に基づき前記定義した文字記入枠に対する入力内容の属性を定義することによって認識表示定義情報を生成する手段と、生成された文字認識用紙イメージと認識表示定義情報をそれぞれ格納する手段と、格納された文字認識用紙イメージを文字認識用紙として出力する手段と、出力後に文字情報を記入した文字認識用紙を受信して文字認識用紙イメージを取り出し、格納する手段と、前記認識表示定義情報を用いて格納された文字認識用紙イメージ内の記入された文字情報を文字認識する手段と、前記認識表示定義情報を用いて文字認識結果を表示して修正する手段とを有することを特徴とする文字認識制御装置。
【請求項４】
前記認識表示定義情報を生成する手段は、自由領域を定義する手段を有し、前記認識結果を表示修正する手段は、自由領域へ情報入力する手段を有することを特徴とする特許請求項３項記載の文字認識制御装置。
【発明の詳細な説明】
【０００１】
【発明の属する技術分野】
本発明は複数種類の文字認識用紙に記入された文字情報を認識し、確認修正を行うとき、認識表示定義情報の作成を容易にするとともに、認識表示定義情報に従った文字認識処理および確認修正表示と自由領域へ情報の追加を可能とした文字認識制御方法およびその方法を実施するための装置に関するものである。
【０００２】
【従来の技術】
通常、文字認識装置の確認修正画面は文字認識用紙の形式に依存するため、固定の表示画面となっている。また、修正項目以外（自由領域）に対して情報を入力することが出来なかった。
【０００３】
このため、文字認識用紙の追加や変更が生じる場合、確認修正画面を修正したり、新規に作成し追加していた。また、文字認識用紙に対応して認識法（認識字種や位置，使用修正画面）を記載した認識定義情報も同時に修正、追加する必要があった。
【０００４】
このような問題をさける方法として、確認修正画面に文字認識用紙イメージそのものを用い、文字認識結果を文字イメージの近傍に表示する方法があるが、文字認識結果を適切な空間に表示しないと、文字認識用紙イメージの情報と重なり見にくくなるという問題がある。特に表示認識文字数が多い場合には確認修正画面に文字認識結果を表示する場所を確保するのが困難となる問題がある。
【０００５】
【発明が解決しようとする課題】
本発明の目的はこれら問題を解決するため、文字認識用紙イメージ生成時に文字認識の認識方法と確認修正画面の表示方法を定義する認識表示定義情報を生成して文字認識装置に登録可能とするとともに、文字情報が記入された文字認識用紙イメージを認識するときに、登録した認識表示定義情報を選択して文字認識を実行させ、また、文字認識で選択したのと同じ認識表示定義情報を用いて確認修正画面を表示させることにある。
【０００６】
【課題を解決するための手段】
上記課題を解決するため、本発明による文字認識制御方法は、複数種類の文字認識用紙を認識して確認修正する文字認識制御方法において、レイアウト作成ウインドに表示される文字記入枠の設定可能な文字記入枠位置の指定に基づいて文字認識用紙内に当該指定された文字記入枠位置の文字記入枠を定義することによって文字認識用紙イメージを生成し、属性作成ウインドに対する入力に基づき前記定義した文字記入枠に対する入力内容の属性を定義することによって認識表示定義情報を生成し、それぞれ、生成イメージ格納部と定義ファイル格納部に格納する工程と、前記生成イメージ格納部に格納された文字認識用紙イメージを文字認識用紙として出力する工程と、出力後に文字情報を記入した文字認識用紙を受信して文字認識用紙イメージを取り出し、情報格納部に格納する工程と、前記認識表示定義情報を用いて文字認識用紙イメージ内の記入された文字情報を文字認識する工程と、前記認識表示定義情報を用いて文字認識結果を表示して修正する工程とを有することを特徴とする。
【０００７】
また、上記課題を解決するため、本発明による文字認識制御装置は、複数種類の文字認識用紙を認識する文字認識制御装置において、レイアウト作成ウインドに表示される文字記入枠の設定可能な文字記入枠位置の指定に基づいて文字認識用紙内に当該指定された文字記入枠位置の文字記入枠を定義することによって文字認識用紙イメージを生成し、属性作成ウインドに対する入力に基づき前記定義した文字記入枠に対する入力内容の属性を定義することによって認識表示定義情報を生成する手段と、生成された文字認識用紙イメージと認識表示定義情報をそれぞれ格納する手段と、格納された文字認識用紙イメージを文字認識用紙として出力する手段と、出力後に文字情報を記入した文字認識用紙を受信して文字認識用紙イメージを取り出し、格納する手段と、前記認識表示定義情報を用いて格納された文字認識用紙イメージ内の記入された文字情報を文字認識する手段と、前記認識表示定義情報を用いて文字認識結果を表示して修正する手段とを有することを特徴とする。
【０００８】
すなわち、文字認識用紙イメージ作成時に文字認識の認識方法と確認修正画面の表示方法を定義する認識表示定義情報を自動生成するとともに、生成した認識表示定義情報を文字認識装置に登録可能とする。そして、文字情報が記入された文字認識用紙イメージを認識するときに文字認識用紙イメージの先頭の特定部分に記載された情報または文字認識用紙イメージの特定の位置の認識対象文字をもとに登録した認識表示定義情報ファイルを選択し、選択した認識表示定義情報で文字認識を行なう。そして文字認識を行なった結果と選択した認識表示定義情報名と種別を文字認識結果ファイルに記載する。次に、確認修正業務では文字認識結果ファイル一覧から特定の文字認識結果ファイルを指示すると、文字認識結果ファイルに記載された認識表示定義情報ファイルを読み出し、この中で定義された表示定義情報に従い文字認識結果を表示する。なお、自由情報記入領域は認識表示定義情報作成時に定義し、確認修正時に任意情報の入力を可能とする。なお、入力はキーボード入力可能とする。
【０００９】
このように、文字認識用紙イメージ生成時に認識表示定義情報を生成可能とするとともに、作成した認識表示定義情報に基づいた文字認識、確認修正画面の表示を行なうことを可能とする。また、文字認識装置に変更を加えることなく文字認識用紙の変更、追加に対応可能とする。
【００１０】
【発明の実施の形態】
図１に本発明における文字認識制御方法の実施例の手順を示す。なお、符号については図２〜図６を参照されたい。まず、用紙・定義情報生成部２０の文字認識用紙生成画面３０にレイアウト作成ウインド３１と属性作成ウインド３２を表示する（ステップＳ１）。そして、複数の文字認識領域の定義を行い（ステップＳ２）、定義した文字認識領域のラベルと認識属性の定義を行う（ステップＳ３）。その後、属性作成ウインド３２にある作成ボタン４６をマウスでクリックすることにより文字認識用紙イメージ５０を生成し、生成イメージ格納部２１へ格納し（ステップＳ４）、認識表示定義ファイル５１を作成し、定義ファイル格納部２２へ格納する（ステップＳ５）一連の処理を自動的に行う。このように生成した文字認識用紙イメージは説明文字１４が記載されていないため、汎用のグラヒックソフト（ＰｈｏｔｏＳｈｏｐやＰａｉｎｔＳｈｏｐ等）で文字認識用紙イメージに説明文字１４を記載し、説明文字１４が記載された文字認識用紙イメージ５０を作成する（ステップＳ６）。
【００１１】
そして、ファクシミリ送信部２３で送信指示を行うことでファクシミリ端末２４へ文字認識用紙イメージ送信を行う（ステップＳ７）。ファクシミリ端末２４に出力された文字認識用紙１０に数量等を記入して、ファクシミリ端末２４から送信する（ステップＳ８）。ファクシミリ端末２４から送信された文字認識用紙１０のイメージをファクシミリ受信部２５で受信し情報格納部２５へ格納する（ステップＳ９）。
【００１２】
次に、文字認識部２６は情報格納部２５の文字認識用紙イメージ６０に対して、定義ファイル格納部２２より該当する認識表示定義ファイル５１を参照して文字認識を行う（ステップＳ１０）。そして、文字認識結果ファイル７０を作成して情報格納部２６へ格納する（ステップＳ１１）。このようにして文字認識用紙イメージ６０を受信して文字認識を繰り返して行う。そして文字認識を行った結果は、確認修正部２７の確認修正画面８０に表示してあるファイル一覧ウインド８１に文字認識結果ファイル７０として反映される。確認修正を行う者はファイル一覧ウインド８１に表示されたファイル一覧から未確認の認識結果ファイルを選択する（ステップＳ１２）。すると、認識結果表示ウインド９０、イメージ表示ウインド９１、誤り表示ウインド９３の表示が行われ、選択した文字認識結果ファイル７０の文字認識結果と文字認識用紙イメージ６０と文字認識誤りが表示される（ステップＳ１３）。そして、文字認識結果の確認修正・情報入力作業（ステップＳ１４）を繰り返し行い、確認ボタン９８をクリックすることで確認済の文字認識結果ファイル１００が格納される（ステップＳ１５）。保存するとファイル一覧ウインド８１の確認欄の「未」が「済」に変更される。以上の操作を繰り返すことで文字認識ファイルの確認修正を行うことができる。
【００１３】
図２は本発明における文字認識用紙の例を示す図で、１０は文字認識用紙、１１は文字認識用紙を識別する用紙種別マーク、１２は認識文字の在る行を示す文字行指定マーク、１３は認識対象となる文字を記入する文字記入枠、１４は文字記入枠１３の意味等を示す説明文字、１５は記入文字、１６は「０」に斜め線が記入されているため文字認識では認識できない記入文字である。なお、用紙種別マーク１１は２ｍｍ角、間隔２ｍｍで文字認識用紙１０の左上部に配置し、文字行指定マーク１２は文字認識用紙１０の左右端にあり、幅２ｍｍ、高さ７ｍｍ、文字記入枠１３は文字行指定マーク１２と同一行中でにあり、幅６ｍｍ、高さ８ｍｍ、間隔２ｍｍで配置されるものとする。また、用紙識別マーク１１は数個記載可能であり、その有無により左から数えて２進数で表現しているため、本例では用紙種別を３（２進法で１，１）としている。もし、用紙識別マークが３個で全て有のときは用紙種別は７となる。
【００１４】
図３は本発明を実施する文字認識制御装置の機能ブロック図であり、２０は文字認識用紙１０の元イメージと認識表示定義ファイルを生成する用紙・定義情報生成部、２１は生成した文字認識用紙１０の元イメージを格納する生成イメージ格納部、２２は生成した認識表示定義ファイルを格納する定義ファイル格納部、２３は生成した文字認識用紙１０の元イメージをファクシミリ送信するファクシミリ送信部、２４は文字認識用紙イメージ５０の出力と文字認識用紙１０の入出力を行うユーザのファクシミリ端末、２５はファクシミリ端末２４から文字認識用紙１０の元イメージを受信するファクシミリ受信部、２６は受信した文字認識用紙１０のイメージと文字認識結果ファイルを格納する情報格納部、２７は受信した文字認識用紙１０のイメージを認識する文字認識部、２８は文字認識結果ファイルの内容を確認修正する確認修正部である。
【００１５】
次に、図３の機能ブロック図の動作を説明する。まず、用紙・定義情報生成部２０は、図４〜図６に示す方法で文字認識用紙１０のイメージ５０と認識表示定義ファイル５１を生成し、文字認識用紙１０のイメージ５０は生成イメージ格納部２１へ、認識表示定義ファイル５１は定義ファイル格納部２２へ格納する（ステップＳ１〜Ｓ５）。そして、文字認識用紙イメージ５０に説明文字１４を記入する（ステップＳ６）。その後、ファクシミリ送信部２３に文字認識用紙１０のイメージ５０の送信指示を行う。送信指示を受けたファクシミリ送信部２３は文字認識用紙１０のイメージ５０をファクシミリ信号に変換し、ファクシミリ手順に従いファクシミリ端末２４に送信する（ステップＳ７）。このようにして文字認識用紙１０がユーザのファクシミリ端末２４に出力される。なお、複数のファクシミリ端末２４に送信する場合は送信先を複数指定することで複数のユーザのファクシミリ端末２４に送信することも出来る。文字認識用紙１０をファクシミリ端末２４で受信したユーザは文字認識用紙１０に数量等の文字情報を記入し、ファクシミリ受信部２５に送信する（ステップＳ８）。ファクシミリ受信部２５は受信したファクシミリ信号から文字認識用紙１０のイメージ６０を取り出し、情報格納部２６に格納する（ステップＳ９）。文字認識用紙１０のイメージ６０の格納を終わると文字認識部２７へ認識指示を行う。文字認識部２７は図７〜図８に示す方法で文字認識用紙１０の用紙種別マーク１１を検出して、定義ファイル格納部２２から該当する認識表示定義ファイル５１を読み出し、認識表示定義ファイル５１を参照しながら文字認識用紙１０の必要な部分の文字認識を行う（ステップＳ１０）。そして、文字認識結果ファイル７０を作成して情報格納部２６に格納する。このとき、選択した認識表示定義ファイル名も文字認識結果ファイル７０に格納する（ステップＳ１１）。なお、複数の文字認識用紙１０のイメージを受信した場合は、同様の手順を順次繰り返す。次に、文字認識部２６で文字認識された文字認識用紙１０は確認修正部２７で図９〜図１１で示す方法により確認修正される（ステップＳ１２〜Ｓ１５）。
【００１６】
なお、本実施例では文字認識用紙１０の出力手段としてファクシミリ端末２４を用いたがプリンタにしてもよく、また入力手段としてファクシミリ端末２４のかわりにスキャナを用いても同様である。
【００１７】
図４〜図６は本発明における文字認識用紙の元イメージと認識表示定義ファイルの生成を示す図で、図４は文字認識用紙の元イメージの生成方法を示す図、図５は生成した文字認識用紙イメージを示す図、図６は認識表示定義ファイルを示す図である。図４において、３０は用紙・定義情報生成部２０の文字認識用紙生成画面、３１は文字認識用紙１０のレイアウトを作成するレイアウト作成ウィンド、３２は認識文字列の属性を決める属性作成ウインド、３３はレイアウトをした時の行を示すレイアウト行表示ウインド、３４は文字記入枠１３を設定可能な文字記入枠位置、３５は文字記入枠位置３４に設定された認識文字記入枠、３６は文字認識結果の確認修正時に自由な文字列を追加する位置を示す自由行、３７はレイアウト作成ウインドに文字記入枠位置を１行分挿入する文字行挿入ボタン、３８はレイアウト作成ウインドの文字行を削除する文字行削除ボタン、３９はレイアウト作成ウインドに空白行を１行分挿入する空白行挿入ボタン、４０はレイアウト作成ウインドの空白行を削除する空白行削除ボタン、４１はレイアウト作成ウインドで示された文字記入枠行の下に、文字認識結果の確認修正時に自由領域として文字列を追加するための自由行挿入ボタン、４２はレイアウト作成ウインドで示された自由行を削除するための自由行削除ボタン、４３は文字認識用紙の種別を指定するための用紙種別記入枠、４４は文字記入枠の属性を記入する属性入力枠、４５は作成する文字認識用紙イメージのイメージファイルおよび認識表示定義ファイルのファイル名を記入するファイル名記入枠、４６は文字認識用紙イメージのイメージファイルと認識表示定義ファイルを作成する作成ボタン、４７はレイアウト作成ウインドと属性作成ウインドを閉じる終了ボタンである。図５，図６において、５０は生成した文字認識用紙イメージ、５１は認識表示定義ファイルで、５２は認識表示定義ファイル記載エリア、５３は認識定義記載エリア、５４は表示定義記載エリア、５５は文字記入枠位置３４を認識しないことを示すスキップマーク（Ｓで示す）、５６は文字記入枠位置を数字認識する数字認識マーク（Ｎで示す、文字入力マークの場合はＭで示す）、５７は自由行文字列が入力される文字（Ｍで示す、数字の場合はＮで示す）である。なお、図４の例ではレイアウト作成ウインド３１の文字記入枠３５は２行目が先頭から４文字、４行目から７行目までは最後から２文字の文字記入枠３５が設定されており、属性作成ウインド３２の属性記入枠４４にはラベルの名称と属性が記入された状態を示してある。
【００１８】
次に図４〜図６を用いて文字認識用紙イメージと認識表示定義ファイルの作成方法（ステップＳ１〜Ｓ６）を説明する。まず、用紙・定義情報生成部２０の文字認識用紙生成画面３０にレイアウト作成ウインド３１と属性作成ウインド３２を表示する（ステップＳ１）。次に、文字認識用紙生成画面３０にあるレイアウト作成ウインド３１で空白行挿入ボタン３９をマウスでクリック、次に文字行挿入ボタン３７をマウスでクリック、次に空白行挿入ボタン３９をマウスでクリック、次に文字行挿入ボタン３７をマウスで４回クリックする。するとレイアウト表示行３３に示す１行目と３行目に空白行が作成され、２行目と４行目から７行目に文字記入枠位置３４が表示された文字行が作成される。その後、自由行挿入ボタン４１をクリックするとレイアウト行表示枠３３の８行目に自由行３６が挿入される。そして、レイアウト行表示枠３３の２行目の１〜４列、４行目〜７行目の５列、６列をマウスでクリックすると文字記入枠位置３４が認識文字記入枠３５に変化する。このとき誤って文字行を設定した場合は文字行削除ボタン３８を、空白行を設定した場合は空白行削除ボタン４０を、自由行を設定した場合は自由行削除ボタン４２をマウスでクリックすることで誤って設定した行を削除できる。また、認識文字記入枠３５は再度マウスでクリックすると設定が解除され文字記入枠位置３４に変化する。なお、本例では文字記入枠位置３４をマウスでクリックして認識文字記入枠３５としたが、マウスで文字記入枠３４を囲む矩形を表示して指定することも可能であり、この場合は複数の文字記入枠位置３４を同時に認識文字記入枠３５にすることも出来る。以上により複数の文字認識領域が定義される（ステップＳ２）。このように、レイアウト作成ウインド３１で文字認識用紙のレイアウトを決定すると、属性作成ウインド３２はレイアウト作成ウインド３１で設定した認識文字記入枠３５と自由行３６の桁数を表示した属性記入枠４４を表示する。そして、属性記入枠４４のＮＯ．１からＮＯ．５の属性に「数」を入力することで数字認識を指定する。また、属性記入枠４４のＮＯ．１のラベルに「会員番号」、ＮＯ．２のラベルに「コーヒーセット」、ＮＯ．３のラベルに「紅茶セット」、ＮＯ．４のラベルに「調味料セット」、ＮＯ．５のラベルに「タオルセット」、Ｎ０．６のラベルに「連絡事項」を記入することで確認修正時の認識結果表示ウインド９０へのラベル表示を定義する。以上によりラベルと認識属性が定義される（ステップＳ３）。そして、本例では用紙種別記入枠４３に「３」を、ファイル名記入枠４５に「ＲＤＦ００３」を記入して作成ボタン４６をマウスでクリックする。この結果、図５に示すような説明文字１４のない文字認識用紙イメージ５０が生成され生成イメージ格納部２１へ格納される（ステップＳ４）とともに、図６に示すような認識表示定義ファイル５１が作成され定義ファイル格納部２２へ格納される（ステップＳ５）。ただし、生成イメージ格納部２１へ格納された文字認識用紙イメージは説明文字１４が記載されていないため、市販のグラヒックソフト（Ｐａｉｎｔｓｈｏｐ、Ｐｈｏｔｏｓｈｏｐ等）で説明文字１４を記載することで図５に示す文字認識用紙イメージ５０が作成できる（ステップＳ６）。定義ファイル格納部２２に格納された認識表示定義ファイル５１は定義ファイル名記載エリア５２にＲＤＦ００３．ＤＥＦが、認識定義記載エリア５３の１行目にＮＮＮＮＳＳ、２行目から５行目にＳＳＳＳＮＮ、６行目はＭが２０個記載され、表示定義エリア５４の１行目はラベルが会員番号で４桁の認識、２行目はラベルがコーヒーセットで２桁の認識、３行目はラベルが紅茶セットで２桁の認識、４行目はラベルが調味料セットで２桁の認識、５行目はラベルがタオルセットで２桁の認識、６行目はラベルが連絡事項で２０桁の認識が記載される。なお、本例では１行に１項目の認識項目（１ラベル対応）としたが２項目以上の認識項目が存在してもよく、その場合は文字認識用紙１０の左側から順に表示させるように定義することや、数認識項目を横並びに定義することも可能である。また、自由行３６は２０桁の文字列としたが文字数を指定することも可能であり、自由行３６も行単位としたが、さらに小さな単位１／２行、１／４行等指定することも可能である。さらに、本例では説明の都合上説明文字１４の記載に市販のグラヒックソフトを使用したが、専用ソフトで作成することも出来る。
【００１９】
図７〜図８は本発明における文字認識方法を示す図で、図７はファクシミリ受信部２５で受信され情報格納部２６に格納された状態の、すなわち、情報格納部２６のメモリ上の文字認識用紙イメージ６０の図、図８は文字認識結果を格納した文字認識結果ファイル７０を示す図である。図７，図８において、６０は文字情報が記入された文字認識用紙イメージ、６１は文字認識用紙１０の用紙種別マーク１１を検出する用紙種別マーク検出領域、６２は文字記入枠１３内の文字パタン領域、７０は文字認識結果ファイル、７１は受信ファイル名エリア、７２は認識表示定義ファイル記載エリア、７３は認識結果記載エリア、７４は認識不能文字である。本例では受信イメージファイル名は「００００５．ＢＭＰ」、認識表示定義ファイルは「ＲＤＦ００３．ＤＥＦ」、認識結果は１行目が「３２５７」、２行目が「  ２」、３行目が「  ５」、４行目が「  ７」、５行目が「１？」を示している。
【００２０】
次に図７〜図８を用いて文字認識方法を説明する。これはステップＳ１０〜Ｓ１１に相当する。文字認識指示を受けた文字認識部２７は情報格納部２６から文字認識用紙イメージ６０を読み出し、図７に示すように文字認識用紙イメージ６０の左上部にある用紙種別マーク検出領域６１を調べ、２ｍｍ角を２個検出することで用紙種別マーク１１が「３」であることを検出する。そして、用紙種別マーク１１「３」に対応する認識表示定義ファイル５１「ＲＤＦ００３．ＤＥＦ」を読み出す。次に、文字認識用紙１０のイメージの両端にある２ｍｍ×７ｍｍの文字行指定マーク１２を検出するとともに、文字行指定マーク１２の間の規定の位置にある文字記入枠１３の位置を算出する。算出された文字記入枠１３内の文字パタン領域６２は認識表示定義情報ファイル５１にある認識定義エリア５３に記載された情報にしたがい、１行目は１〜４文字、２〜５行目は５〜６文字のみを数字として認識する（ステップＳ１０、属性が文字であれば文字として認識する）。そして図８に示すように、認識結果ファイル７０の受信ファイル名記載エリア７１に受信した文字認識用紙イメージファイル名を（本例では「００００５．ＢＭＰ」を付与）、定義ファイル名記載エリア７２に使用した認識表示定義ファイル名を（本例では「ＲＤＦ００３．ＤＥＦ」）、認識結果記載エリア７３に文字認識結果と確認＝「未」を書き込む。なお、本例では文字認識用紙１０の５行目の認識できない記入文字１６が認識不能文字７４として存在する。このようにして文字認識結果ファイル７０を作成し、情報格納部２６へ格納する（ステップＳ１１）。
【００２１】
以上の手順で繰り返すことで、文字認識用紙イメージ６０を受信する都度文字認識結果ファイル７０を情報格納部２６へ格納できる。
【００２２】
図９〜図１１は本発明における確認修正方法を示す図で、図９は文字認識結果ファイル７０の一覧を示すファイル一覧画面の図、図１０は確認修正方法を示す確認修正画面の図、図１１は確認修正後の認識結果ファイルを示す図である。図９，図１０において、８０は確認修正部２８に表示する確認修正画面、８１は受信したファイルの一覧を表示するファイル一覧ウインド、９０は確認修正部２８の認識結果表示ウインド、９１は受信イメージを表示するイメージ表示ウインド、９２は認識できない文字位置を示す誤り表示ウインド、９３は確認修正位置を示すカーソル、９４は自由行に入力された「御中元  横浜太郎」という文字列、９５はカーソルに対応する文字記入枠を示す確認修正枠、９６は文字認識用紙イメージ６０を縦方向にスクロールする縦スクロールバー、９７は文字認識用紙イメージ６０を横方向にスクロールする横スクロールバー、９８は確認修正結果を保存する確認ボタン、９９は確認修正画面８０に表示された認識結果表示ウインド９０とイメージ表示ウインド９１を終了する終了ボタンである。図１１において、１００は確認修正を行った文字認識結果ファイル、１０１は修正した文字「０」、１０２は自由行に追記した「御中元  横浜太郎」である。
【００２３】
次に、図９〜図１１を用いて文字認識結果の確認修正方法を説明する。これはステップＳ１２〜Ｓ１５に相当する。まず、確認修正画面８０のファイル一覧ウインド８１から通番５の未確認ファイル「０００５．Ｒ」をマウスでクリックして選択する（ステップＳ１２）。すると、確認修正画面８０は認識結果表示ウインド９０、イメージ表示ウインド９１、誤り表示ウインド９２を表示する（ステップＳ１３）。そして、誤り表示ウインド９２の「５行目に認識不能文字があります」の文字列をマウスでクリックすると、カーソル９３は認識結果表示ウインド９２の？文字の位置に移動するとともにイメージ表示ウインド９１に文字認識用紙イメージ６０の認識できない記入文字１６を表示する。このとき認識不能文字９３に対応する認識できない記入文字１６は確認修正枠９５を付けて表示する。なお、認識できない記入文字１６の周辺を参照したい場合は縦スクロールバー９６または横スクロールバー９７をマウスでクリックしてイメージ表示ウインド９１の文字認識用紙イメージ６０を移動させることが出来る。そして、確認修正を行う者はイメージ表示ウインド９１の認識できない記入文字１６が「０」であることがわかるため、認識結果表示ウインド９０のカーソル９３のある「？」文字を「０」に書き直す。また、確認修正ウインド９０の連絡事項に２０文字以内の文字「御中元  横浜太郎」を記入する（ステップＳ１４）。その後、イメージ表示ウインド９１の確認ボタン９８をマウスでクリックすれば修正した認識結果ファイル１００が作成でき、情報格納部に格納される（ステップＳ１５）。修正した認識結果ファイル１００は図１１に示すように、認識結果エリア７３の５行目に修正した文字「０」１０１が、６行目に追記した「御中元  横浜太郎」１０２が記載される。また、確認＝「未」も確認＝「済」に変更される。なお、修正した認識結果ファイル１００は情報格納部２６の認識結果ファイル７０に上書きされる。そして、修正した認識結果ファイル１００の確認＝「済」をもとにファイル一覧ウインド８０のファイル０００５．Ｒの確認を「済」に変更する。なお、ファイル一覧ウインド８０の確認が「済」のファイルをマウスでクリックしても再度修正は可能である。
【００２４】
【発明の効果】
以上、説明したように本発明の文字認識方法および装置によれば、文字認識用紙イメージを生成して文字認識装置に登録可能とするとともに、文字情報が記入された文字認識用紙イメージを認識するときに、登録した認識表示定義情報を選択して文字認識を実行させ、また、文字認識で選択したのと同じ認識表示定義情報を用いて確認修正画面を表示させることができる。したがって、文字認識で用いる認識定義および確認修正で表示する項目を認識表示定義ファイルとして作成できるため、文字認識用紙を新たに作成したりフォーマットが変更されても文字認識制御装置の認識定義を修正することなく文字認識が可能になるという利点がある。さらに、確認修正時にも表示ラベル名等の名称やフォーマットにも対応できるため、確認修正画面の追加や変更の必要がないという利点がある。
【図面の簡単な説明】
【図１】本発明における文字認識制御方法の実施例の手順を示す図である。
【図２】本発明における文字認識用紙の例を示す図である
【図３】本発明を実施する文字認識制御装置の機能ブロック図である。
【図４】文字認識用紙の元イメージの生成方法を示す図である。
【図５】生成した文字認識用紙イメージを示す図である。
【図６】認識表示定義ファイルを示す図である。
【図７】情報格納部に格納された文字認識用紙イメージの図である。
【図８】確認修正前の文字認識結果ファイルを示す図である。
【図９】文字認識結果ファイルの一覧を示すファイル一覧画面の図である。
【図１０】確認修正方法を示す確認修正画面の図である。
【図１１】確認修正後の文字認識結果ファイルを示す図である。
【符号の説明】
１０  文字認識用紙              １１  用紙種別マーク
１２  文字行指定マーク          １３  文字記入枠
１４  説明文字                  １５  記入文字
１６  認識できない記入文字      ２０  用紙・定義情報生成部
２１  生成イメージ格納部        ２２  定義ファイル格納部
２３  ファクシミリ送信部        ２４  ファクシミリ端末
２５  ファクシミリ受信部        ２６  情報格納部
２７  文字認識部                ２８  確認修正部
３０  文字認識用紙生成画面      ３１  レイアウト作成ウィンド
３２  属性作成ウインド          ３３  レイアウト行表示枠
３４  文字記入枠位置            ３５  認識文字記入枠
３６  自由行                    ３７  文字行挿入ボタン
３８  文字行削除ボタン          ３９  空白行挿入ボタン
４０  空白行削除ボタン          ４１  自由行挿入ボタン
４２  自由行削除ボタン          ４３  用紙種別記入枠
４４  属性入力枠                ４５  ファイル名記入枠
４６  作成ボタン                ４７  終了ボタン
５０  文字認識用紙イメージ      ５１  認識表示定義ファイル
５２  定義ファイル名記載アリア  ５３  認識定義記載アリア
５４  表示定義記載アリア        ５５  スキップマークＳ
５６  数字認識マークＮ          ５７  自由文文字Ｍ
６０  文字認識用紙イメージ      ６１  用紙種別マーク検出領域
６２  文字パタン領域            ７０  文字認識結果ファイル
７１  受信ファイル名記載エリア  ７２  定義ファイル名記載エリア
７３  認識結果記載エリア        ７４  認識不能文字
８０  確認修正画面              ８１  ファイル一覧ウインド
９０  認識結果表示ウインド      ９１  イメージ表示ウインド
９２  誤り表示ウインド          ９３  カーソル
９４  「御中元  横浜太郎」という文字列
９５  確認修正枠                ９６  縦スクロールバー
９７  横スクロールバー          ９８  保存ボタン
９９  終了ボタン                １００  修正した文字認識結果ファイル
１０１  修正した文字「０」      １０２  追記した「御中元  横浜太郎」
【図１】
0003712578.tif 000002
【図２】
0003712578.tif 000003
【図３】
0003712578.tif 000004
【図４】
0003712578.tif 000005
【図５】
0003712578.tif 000006
【図６】
0003712578.tif 000007
【図７】
0003712578.tif 000008
【図８】
0003712578.tif 000009
【図９】
0003712578.tif 000010
【図１０】
0003712578.tif 000011
【図１１】
0003712578.tif 000012